(57)【要約】【課題】受信中のチャンネルによってDVB-T2規格の信号が伝送されていないことを早期に、かつ確実に検出することができるようにする。【解決手段】受信中のチャンネルによってDVB-T2規格の信号が伝送されているか否かがチャンネルスキャン時に判定される。チャンネルスキャン時、P1検出部１１において、入力信号の所定の区間毎の相関値が算出され、CDS相関演算部１５において、周波数領域のOFDM信号と既知の系列に基づいてCDS相関値が算出される。２つの相関値のピーク値が閾値以上あり、受信中のチャンネルによってDVB-T2規格の信号が伝送されている可能性があると判定された場合でも、既知のシーケンスとの相関値に基づいてS1,S2を復号する際に算出されたその相関値が閾値未満である場合、DVB-T2規格の信号が伝送されていないものとして判定される。本発明は、DVB-T2規格の信号を受信する受信装置に適用することができる。【選択図】図７
2011041085.tif 000002
【特許請求の範囲】
【請求項１】
信号全体のうちの一部の区間である第１の区間と第２の区間において相関を有するプリアンブル信号が先頭に配置されたフレーム単位でデータを送信する所定の規格のOFDM信号を受信し、前記第１の区間と前記第２の区間の時間間隔と同じ時間だけ離れた２つの区間の信号の相関値である第１の相関値を算出する第１の相関値算出手段と、
閾値以上の前記第１の相関値が算出された２つの区間の信号を含む前記プリアンブル信号にフーリエ変換を施し、周波数領域の前記OFDM信号を生成する演算手段と、
周波数領域の前記OFDM信号のサブキャリアのうちのデータの送信に用いられるサブキャリアの系列と、既知の系列との相関値である第２の相関値を算出する第２の相関値算出手段と、
前記既知の系列との前記第２の相関値が閾値以上ある系列のサブキャリアによって送信されるデータと、前記プリアンブル信号に続く信号の復調に用いられる伝送パラメータを表すビット列と同じビット数の、既知の複数のデータのそれぞれとの相関値である第３の相関値を算出し、前記第３の相関値が最も高い既知のデータを、前記伝送パラメータとして復号する復号手段と、
前記復号手段により算出された複数の前記第３の相関値の中の最大値が所定の閾値より小さい場合、受信中のチャンネルによって前記所定の規格のOFDM信号が送信されていないことを表す信号を出力する判定手段と
を備える受信装置。
【請求項２】
前記判定手段は、前記第１の相関値の最大値が第１の閾値より高く、前記第２の相関値の最大値が第２の閾値より高い場合、複数の前記第３の相関値の中の最大値と前記所定の閾値とを比較する
請求項１に記載の受信装置。
【請求項３】
前記所定の規格はDVB-T2規格であり、
前記プリアンブル信号はP1シンボルである
請求項１に記載の受信装置。
【請求項４】
前記復号手段は、
前記既知の系列との前記第２の相関値が閾値以上ある系列のサブキャリアによって送信されるデータと、DVB-T2規格におけるS1を構成する８種類の３ビットのデータのそれぞれとの相関値を算出し、相関値が最も高い３ビットのデータをS1として復号する第１の復号手段と、
前記既知の系列との前記第２の相関値が閾値以上ある系列のサブキャリアによって送信されるデータと、DVB-T2規格におけるS2を構成する１６種類の４ビットのデータのそれぞれとの相関値を算出し、相関値が最も高い４ビットのデータをS2として復号する第２の復号手段と
を備える請求項３に記載の受信装置。
【請求項５】
前記判定手段は、前記第１の復号手段により算出された複数の相関値の中の最大値と、前記第２の復号手段により算出された複数の相関値の中の最大値が前記所定の閾値より小さい場合、受信中のチャンネルによって前記所定の規格のOFDM信号が送信されていないことを表す信号を出力する
請求項４に記載の受信装置。
【請求項６】
信号全体のうちの一部の区間である第１の区間と第２の区間において相関を有するプリアンブル信号が先頭に配置されたフレーム単位でデータを送信する所定の規格のOFDM信号を受信し、前記第１の区間と前記第２の区間の時間間隔と同じ時間だけ離れた２つの区間の信号の相関値である第１の相関値を算出し、
閾値以上の前記第１の相関値が算出された２つの区間の信号を含む前記プリアンブル信号にフーリエ変換を施し、周波数領域の前記OFDM信号を生成し、
周波数領域の前記OFDM信号のサブキャリアのうちのデータの送信に用いられるサブキャリアの系列と、既知の系列との相関値である第２の相関値を算出し、
前記既知の系列との前記第２の相関値が閾値以上ある系列のサブキャリアによって送信されるデータと、前記プリアンブル信号に続く信号の復調に用いられる伝送パラメータを表すビット列と同じビット数の、既知の複数のデータのそれぞれとの相関値である第３の相関値を算出し、前記第３の相関値が最も高い既知のデータを、前記伝送パラメータとして復号し、
算出した複数の前記第３の相関値の中の最大値が所定の閾値より小さい場合、受信中のチャンネルによって前記所定の規格のOFDM信号が送信されていないことを表す信号を出力する
ステップを含む受信方法。
【発明の詳細な説明】
【技術分野】
【０００１】
本発明は、受信装置、および受信方法に関し、特に、例えば受信中のチャンネルによってDVB-T2（Digital Video Broadcasting - Terrestrial 2）規格の信号が伝送されていないことを早期に、かつ確実に検出することができるようにした受信装置、および受信方法に関する。
【背景技術】
【０００２】
地上デジタル放送等では、データの変調方式としてOFDM(Orthogonal Frequency Division Multiplexing)（直交周波数分割多重）が採用されている。
【０００３】
OFDMでは、伝送帯域内に多数の直交するサブキャリアが設けられ、それぞれのサブキャリアの振幅や位相にデータを割り当てるPSK(Phase Shift Keying)やQAM(Quadrature Amplitude Modulation)等のデジタル変調が行われる。
【０００４】
OFDMにおいては、複数のサブキャリアに対してデータの割り当てが行われることから、変調は、逆フーリエ変換を行うIFFT(Inverse Fast Fourier Transform)演算によって行うことができる。また、変調の結果得られるOFDM信号の復調は、フーリエ変換を行うFFT(Fast Fourier Transform)演算によって行うことができる。
【０００５】
従って、OFDM信号を送信する送信装置は、IFFT演算を行う回路を用いて構成することができ、OFDM信号を受信する受信装置は、FFT演算を行う回路を用いて構成することができる。
【０００６】
このような特徴を有するOFDMを採用した地上デジタル放送の規格にDVB-T2規格（第２世代欧州地上デジタル放送規格）がある。DVB-T2規格については、いわゆるブルーブック(DVB BlueBook A122)に記載されている（非特許文献１）。
【０００７】
OFDMを採用した地上デジタル放送の規格では、複数のOFDMシンボルによって構成されるフレームと呼ばれる単位が定義され、データの送信は、このフレーム単位で行われる。DVB-T2規格でも、T2フレーム(T2 frame)と呼ばれるフレームが定義され、データはT2フレーム単位で送信される。
【０００８】
図１は、T2フレームのフォーマットを示す図である。
【０００９】
図１に示すように、T2フレームには、P1シンボル、P2シンボル、およびデータシンボル(Data symbols)が、その順に配置される。
【００１０】
P1シンボルは、P1シグナリング(P1 signalling)を送信するためのシンボルである。P1シンボルには、S1とS2の伝送パラメータが含まれる。S1とS2は、P2シンボルが、SISO(Single Input Single Output (meaning one transmitting and one receiving antenna))、又は、MISO(Multiple Input, Single Output (meaning multiple transmitting antennas but one receiving antenna))のいずれの方式で送信されてくるのかや、P2シンボルのFFT演算を行うときのFFTサイズ（１回のFFT演算の対象とするサンプル（シンボル）の数）等を表す。
【００１１】
P2シンボルは、L1プレシグナリング(L1 pre-signalling)とL1ポストシグナリング(L1 post-signalling)を送信するためのシンボルである。
【００１２】
DVB-T2規格で意図されたP1シンボルの目的には次のようなものがある。
ａ．受信装置が、受信中の信号がDVB-T2規格の信号であることを早期に判定すること。
ｂ．受信装置が、プリアンブル信号そのものをDVB-T2規格のフレームのプリアンブル信号と特定すること。
ｃ．復調の開始に必要な伝送パラメータを伝達すること。
ｄ．受信装置が、フレームの位置検出とキャリアの誤差の補正ができること。
【００１３】
図２は、P1シンボルの構成を示す図である。
【００１４】
図２に示すように、P1シンボルは、1K(=1024)個のシンボルを有効シンボルとして有する。P1シンボルは、有効シンボルＡの先頭側の一部分を周波数ｆSHだけ周波数シフトした信号Ｃを有効シンボルの前側にコピーし、かつ、有効シンボルＡの残りの部分を周波数ｆSHだけ周波数シフトした信号Ｂを有効シンボルの後ろ側にコピーした構造になっている。周波数シフトを行うことによって、規格上、妨害信号をP1シンボルとして誤検出しにくい仕組みになっている。
【００１５】
受信装置においては、P1シンボルがその一部のデータのコピーを含んでいることを利用し、区間毎の相関値を求めることによって、P1シンボルを検出するようになされている。例えば、どのチャンネルによってDVB-T2規格の信号が伝送されているのかを調査する初期スキャンの際にP1シンボルの検出が行われる。P1シンボルが検出された場合、そのことは、受信中のチャンネルによってDVB-T2規格の信号が伝送されていることを表し、P1シンボルが検出されない場合、そのことは、受信中のチャンネルによってDVB-T2規格の信号が伝送されていないことを表す。以下、適宜、DVB-T2規格の信号をT2信号という。
【００１６】
［受信装置の構成例］
図３は、従来の受信装置の構成例を示すブロック図である。
【００１７】
受信装置１は、P1検出部１１、遅延部１２、周波数補正部１３、FFT演算部１４、CDS(Carrier Distribution Sequence)相関演算部１５、デコード部１６、T2信号有無判定部１７、および制御部１８から構成される。P1検出部１１には相関値演算部１１Ａが設けられ、デコード部１６は、coarse補正／デスクランブル処理部２１、DBPSK復調部２２、S1復号部２３、およびS2復号部２４から構成される。
【００１８】
アンテナから供給されたRF信号に対して周波数変換、A/D変換、直交復調等の処理が施され、そのような処理が施されることによって生成されたOFDM信号が入力信号としてP1検出部１１と遅延部１２に供給される。入力信号は、実軸成分（Ｉ成分）と虚軸成分（Ｑ成分）を含む複素信号であり、FFT演算がされる前の、時間領域のOFDM信号である。
【００１９】
P1検出部１１は、相関値演算部１１Ａにおいて入力信号の区間毎の相関値を算出し、P1シンボルを検出する。相関値演算部１１Ａにより算出された相関値の最大値はT2信号有無判定部１７に供給される。相関値演算部１１Ａにより行われる相関値の算出については後に詳述する。
【００２０】
P1検出部１１は、区間毎の相関値に基づいてP1シンボルを検出した場合、P1シンボルの位置を基準としてFFT演算の開始位置を設定し、設定した位置を表す情報をFFT演算部１４に出力する。
【００２１】
また、P1検出部１１は、キャリア間隔内の周波数誤差(fine carrier frequency offset)を検出し、周波数誤差を表す情報であるfine補正値を周波数補正部１３に出力する。DVB-T2規格のインプリメンテーションガイドライン(Implementation Guidelines(ETSI TR 102 831 : IG))によれば、P1シンボルによって、±0.5×サブキャリア間隔の精度の「細かい」周波数誤差の検出が可能である。
【００２２】
遅延部１２は、入力信号として供給されたOFDM信号を、P1検出部１１によるP1シンボルの検出等にかかる時間だけ遅延させ、周波数補正部１３に出力する。
【００２３】
周波数補正部１３は、P1検出部１１から供給されたfine補正値に基づいて、遅延部１２から供給されたOFDM信号の周波数誤差を補正し、補正後のOFDM信号をFFT演算部１４に出力する。
【００２４】
FFT演算部１４は、P1検出部１１により設定された位置を開始位置として、周波数補正部１３から供給されたOFDM信号（有効シンボル長のシンボル）のFFT演算を行う。FFT演算により、サブキャリアで送信されてきたデータ、すなわち、IQコンスタレーション上のシンボルを表すOFDM信号が得られる。FFT演算が施されることによって得られた周波数領域のOFDM信号はCDS相関演算部１５に供給される。
【００２５】
CDS相関演算部１５は、FFT演算部１４から供給されたOFDM信号の電力を持つサブキャリアの系列と既知系列(CDS)との相関値を算出する。P1シンボルの信号にFFT演算を施して得られた周波数領域のOFDM信号においては、電力を持つサブキャリアが、既知系列で定められた周波数のみに振り分けられている。既知系列については後に詳述する。
【００２６】
CDS相関演算部１５は、算出した相関値に基づいてP1シンボルを検出し、相関値の最大値をT2信号有無判定部１７に出力する。例えば、既知系列との相関値が最大となる、電力を持つサブキャリアの系列の区間がP1シンボルの区間として検出される。
【００２７】
以下、適宜、P1検出部１１の相関値演算部１１Ａにより算出された時間領域のOFDM信号の区間毎の相関値を信号区間相関値といい、CDS相関演算部１５により算出された相関値をCDS相関値という。また、信号区間相関値の最大値を信号区間相関ピーク値といい、CDS相関値の最大値をCDS相関ピーク値という。
【００２８】
また、CDS相関演算部１５は、FFT演算部１４から供給されたOFDM信号がP1シンボルの信号である場合、キャリアごとの周波数誤差(coarse carrier frequency offset)を検出する。DVB-T2規格のImplementation Guidelines(ETSI TR 102 831：IG)によれば、P1シンボルの既知系列との相関性を利用して、サブキャリア間隔の単位での「粗い」周波数誤差の検出が可能である。
【００２９】
CDS相関演算部１５は、FFT演算後のOFDM信号と、検出した周波数誤差を表す情報であるcoarse補正値をcoarse補正／デスクランブル処理部２１に出力する。
【００３０】
coarse補正／デスクランブル処理部２１は、CDS相関演算部１５から供給されたOFDM信号の周波数誤差をcoarse補正値に基づいて補正し、デスクランブル等の処理を施して得られたOFDM信号をDBPSK復調部２２に出力する。
【００３１】
DBPSK復調部２２は、coarse補正／デスクランブル処理部２１から供給されたOFDM信号にDBPSK復調を施す。DBPSK復調部２２は、DBPSK復調によって得られた信号点の系列のうち、P1シンボルに含まれるS1の部分の系列をS1復号部２３に出力し、S2の部分の系列をS2復号部２４に出力する。
【００３２】
S1復号部２３は、DBPSK復調部２２から供給された信号点の系列と、DVB-T2規格で規定されている、３ビットのS1に対応する８種類の既知シーケンスのそれぞれとの相関値を算出する。既知シーケンスについては後に詳述する。S1復号部２３は、８種類のうちの、最大の相関値が求められた既知シーケンスに対応する３ビットの値をS1として選択し、出力する。
【００３３】
S2復号部２４は、DBPSK復調部２２から供給された信号点の系列と、DVB-T2規格で規定されている、４ビットのS2に対応する１６種類の既知シーケンスのそれぞれとの相関値を算出する。S2復号部２４は、１６種類のうちの、最大の相関値が求められた既知シーケンスに対応する４ビットの値をS2として選択し、出力する。
【００３４】
S1復号部２３から出力されたS1とS2復号部２４から出力されたS2に基づいて、後段の回路において各種の処理が行われる。
【００３５】
T2信号有無判定部１７は、初期スキャン時、相関値演算部１１Ａから供給された信号区間相関ピーク値と、CDS相関演算部１５から供給されたCDS相関ピーク値に基づいて、受信中のチャンネルによってT2信号が伝送されているか否かを判定する。T2信号有無判定部１７は、受信中のチャンネルによってT2信号が伝送されていないと判定した場合、そのことを表す信号であるT2無しフラグを出力する。
【００３６】
制御部１８は、図３に示す構成を含む受信装置１の全体の動作を制御する。例えば、受信するチャンネルが制御部１８により制御される。
【００３７】
［初期スキャンの流れ］
ここで、図４および図５のフローチャートを参照して、受信装置１により行われる初期スキャン時の処理について説明する。
【００３８】
図４および図５は、DVB-T2規格のImplementation Guidelines(ETSI TR 102 831：IG)のindex Figure 74に記載されている初期スキャン（Initial Scan）時の一部の処理を示す。初期スキャンは、例えば初めて電源が投入されたときなどに、チューニング可能な周波数帯域にT2信号が存在するかどうかを調べるために行われる。
【００３９】
ステップＳ１において、制御部１８は、図示せぬチューナを制御し、６MHz、７MHz、８MHzなどの複数の帯域幅の中から、受信するチャンネルの帯域幅を選択する。
【００４０】
ステップＳ２において、制御部１８は、受信するチャンネルの中心周波数を設定する。チャンネルの帯域幅が選択され、その帯域幅のチャンネルの中心周波数が設定されたとき、OFDM信号がP1検出部１１と遅延部１２に入力される。
【００４１】
ステップＳ３において、P1検出部１１は、相関値演算部１１Ａにおいて入力信号の区間毎の信号区間相関値を算出し、P1シンボルの検出を行う。相関値演算部１１Ａにより算出された信号区間相関ピーク値はT2信号有無判定部１７に供給される。
【００４２】
ステップＳ４において、T2信号有無判定部１７は、P1シンボルが検出されたか否かを判定する。例えば、T2信号有無判定部１７は、閾値以上の信号区間相関ピーク値が所定の区間において検出された場合、P1シンボルが検出されたものとして判定する。
【００４３】
P1シンボルが検出されたとステップＳ４において判定された場合、P1検出部１１は、ステップＳ５において、信号区間相関ピーク値が検出された位置をT2フレームの先頭とする。P1検出部１１は、P1シンボルの位置（T2フレームの先頭）を基準としてFFT演算の開始位置を設定し、FFT演算の開始位置を表す情報をFFT演算部１４に出力する。また、P1検出部１１は、キャリア間隔内の周波数誤差を検出し、fine補正値を周波数補正部１３に出力する。
【００４４】
遅延部１２において遅延され、fine補正値に基づいて周波数補正部１３により周波数誤差が補正されたOFDM信号はFFT演算部１４に供給される。
【００４５】
ステップＳ６において、FFT演算部１４は、周波数補正部１３から供給されたP1シンボルのOFDM信号を対象としてFFT演算を行う。FFT演算によって得られた周波数領域のOFDM信号はCDS相関演算部１５に供給される。
【００４６】
ステップＳ７において、CDS相関演算部１５は、FFT演算後のOFDM信号と既知系列に基づいてCDS相関値を算出し、P1シンボルを検出する。CDS相関演算部１５により算出されたCDS相関ピーク値はT2信号有無判定部１７に供給される。
【００４７】
ステップＳ８において、T2信号有無判定部１７は、CDS相関ピーク値が閾値以上であり、P1シンボルがCDS相関演算部１５により検出されたか否かを判定する。
【００４８】
CDS相関ピーク値が閾値未満であるとステップＳ８において判定された場合、または、P1シンボルが検出されていないとステップＳ４において判定された場合、ステップＳ９において、制御部１８はタイムアウトであるか否かを判定する。
【００４９】
タイムアウトではないとステップＳ９において判定された場合、ステップＳ３に戻り、信号区間相関値に基づくP1シンボルの検出が繰り返される。１つのT2フレームの時間は最大で250msであり、受信中のチャンネルによってT2信号が伝送されている場合、250msに１回はP1シンボルが検出されることになる。従って、ここでは、P1シンボルの検出をステップＳ３において開始してからの時間が250msにマージンを加えた所定の時間を経過した場合、タイムアウトであると判定され、その所定の時間を経過していない場合、タイムアウトではないと判定される。
【００５０】
タイムアウトであるとステップＳ９において判定された場合、ステップＳ１０において、制御部１８は、設定していない中心周波数が残っているか否かを判定する。
【００５１】
設定していない中心周波数が残っているとステップＳ１０において判定した場合、ステップＳ２に戻り、制御部１８は、新たな周波数を中心周波数として設定し、以上の処理を繰り返す。
【００５２】
一方、設定していない中心周波数が残っていないとステップＳ１０において判定した場合、ステップＳ１１において、制御部１８は、選択していない帯域幅が残っているか否かを判定する。
【００５３】
選択していない帯域幅が残っているとステップＳ１１において判定した場合、ステップＳ１に戻り、制御部１８は、新たな帯域幅を選択し、以上の処理を繰り返す。
【００５４】
一方、選択していない帯域幅が残っていないとステップＳ１１において判定した場合、制御部１８は初期スキャンを終了する。
【００５５】
CDS相関ピーク値が閾値以上であり、P1シンボルが検出されたとステップＳ８において判定された場合、ステップＳ１２において、CDS相関演算部１５は、CDS相関値に基づいてキャリアごとの周波数誤差を検出する。また、CDS相関演算部１５は、FFT演算後のOFDM信号とcoarse補正値をcoarse補正／デスクランブル処理部２１に出力する。
【００５６】
ステップＳ１３において、coarse補正／デスクランブル処理部２１は、coarse補正値に基づいてOFDM信号の周波数誤差を補正し、デスクランブル等の処理を施す。
【００５７】
ステップＳ１４において、デコード部１６はS1,S2の復号を行う。すなわち、DBPSK復調部２２は、周波数誤差の補正等がcoarse補正／デスクランブル処理部２１により施されたOFDM信号を対象としてDBPSK復調を行う。S1復号部２３とS2復号部２４は、それぞれ、DBPSK復調部２２から供給された信号点の系列と、既知シーケンスのそれぞれとの相関値を算出する。
【００５８】
ステップＳ１５において、S1復号部２３は、算出した相関値に基づいてS1を選択し、S2復号部２４は、算出した相関値に基づいてS2を選択する。S1復号部２３により選択されたS1と、S2復号部２４により選択されたS2は制御部１８にも供給される。
【００５９】
ステップＳ１６において、制御部１８は、S1復号部２３により選択されたS1が「00X」（Xは0または1）であるか否かを判定する。
【００６０】
DVB-T2規格において、S1の３ビットが「00X」であることは、そのS1を含むフレームがT2フレームであることを表す。S1の３ビットが「00X」以外であることは、そのS1を含むフレームがT2フレームではなく、FEF(Future Extension Frame)であることを表す。FEFはDVB-T2規格で規定されている拡張用のフレームである。
【００６１】
S1復号部２３により選択されたS1が「00X」ではないとステップＳ１６において判定した場合、ステップＳ１７において、制御部１８は、S2復号部２４により選択されたS2が「XXX1」であるか否かを判定する。
【００６２】
DVB-T2規格において、S2の４ビットが「XXX1」であることは、いま受信しているチャンネルにはT2フレームとFEFが混在していることを表す。
【００６３】
S1復号部２３により選択されたS1が「00X」であるとステップＳ１６において判定された場合、または、S2復号部２４により選択されたS2が「XXX1」であるとステップＳ１７において判定された場合、さらに処理が続けられる。
【００６４】
例えば、S1復号部２３により選択されたS1が「00X」であるとステップＳ１６において判定された場合、S2が「XXX1」であるか否かが判定される（図示せず）。この判定において、S2が「XXX1」ではないと判定された場合、受信中のチャンネルがT2信号のみを伝送しているチャンネルであると判断され、S2が「XXX1」であると判定された場合、受信中のチャンネルがT2信号とFEFが混在しているチャンネルであると判断される。その後、T2信号を伝送しているチャンネルに関する情報として、いま受信中のチャンネルの中心周波数、帯域幅の情報などが制御部１８により記憶される。
【００６５】
一方、ステップＳ１７において、S2が「XXX1」ではないと判定された場合、図４のステップＳ１０に戻り、以上の処理が繰り返される。
【００６６】
図６は、図４、図５を参照して説明した初期スキャン時の処理のうち、主にT2信号有無判定部１７の処理に注目したフローチャートである。
【００６７】
ステップＳ３１において、T2信号有無判定部１７は入力信号が安定するまで待機する。AGCが正常に動作するなどして入力信号が安定した場合、そのことを表す信号安定フラグがT2信号有無判定部１７に対して供給される。
【００６８】
信号安定フラグが供給された場合、ステップＳ３２において、T2信号有無判定部１７は250+α[ms]の時間だけ待機する。ここで、250msはT2フレームの最大の長さ（時間）であり、αは予め設定されたマージンの時間である。なお、ステップＳ３１とＳ３３の処理のうち、ステップＳ３１の処理は図４のステップＳ３の処理の前に行われる処理であり、ステップＳ３２の処理は、図４のステップＳ９においてタイムアウトであるか否かが制御部１８により判定されている間の処理に対応する。
【００６９】
ステップＳ３３において、T2信号有無判定部１７は、図４のステップＳ４の処理と同様に、信号区間相関ピーク値と閾値を比較し、P1シンボルが検出されたか否かを判定する。
【００７０】
信号区間相関ピーク値が所定の区間において閾値以上あり、P1シンボルが検出されたとステップＳ３３において判定した場合、ステップＳ３４において、T2信号有無判定部１７は、図４のステップＳ８の処理と同様に、CDS相関ピーク値が閾値以上であるか否かを判定する。なお、ステップＳ３４の処理の前には、図４のステップＳ５乃至Ｓ７の処理が行われる。
【００７１】
P1シンボルが検出されていないとステップＳ３３において判定された場合、または、CDS相関ピーク値が閾値未満であるとステップＳ３４において判定された場合、ステップＳ３５において、受信中のチャンネルにT2信号がない場合の処理が行われる。すなわち、図４のステップＳ４、またはＳ８においてNOと判定された場合の処理が行われる。
【００７２】
一方、CDS相関ピーク値が閾値以上であるとステップＳ３４において判定された場合、ステップＳ３６において、T2信号のあるチャンネルである可能性がある場合の処理が行われる。すなわち、図５のステップＳ１２以降の処理が行われる。
【００７３】
このように、P1シンボルを使ってT2信号の有無を判定すること自体が規格で意図されている。また、初期スキャンにおいては、CDS相関のピーク値を使ってT2信号（P1シンボル）の有無を判定することがDVB-T2規格のImplementation Guidelines(ETSI TR 102 831：IG)に明示されている。
【先行技術文献】
【非特許文献】
【００７４】
【非特許文献１】"Frame structure channel coding and modulation for a second generation digital terrestrial television broadcasting system (DVB-T2)", DVB Document A122 June 2008
【発明の概要】
【発明が解決しようとする課題】
【００７５】
初期スキャンを迅速に行うことによりユーザの待ち時間を短縮することができ、望ましい。初期スキャンの高速化のためには、受信中のチャンネルにT2信号が存在しないことを早期に、かつ確実に検出することが有効である。T2信号が存在しないことを早期に検出することができることにより、スキャン対象のチャンネルや帯域幅を次々切り替えることができ、初期スキャンの処理全体にかかる時間を短縮することが可能になる。
【００７６】
ところで、T2信号があるときに「無い」と誤判定することは、本来受信できるはずのチャンネルをいわば取りこぼすことであり、許容できない。
【００７７】
一方、T2信号が無いときに「ある」としてしまう誤判定は、初期スキャンの時間が延びてしまうことから、T2信号があるときに「無い」と誤判定することよりかは許容できるが、望ましくはない。信号区間相関ピーク値とCDS相関ピーク値に基づいてT2信号が「ある」と誤判定された場合、図５のステップＳ１２以降の処理が行われることになり、スキャン対象のチャンネルを切り替えるまでに時間がかかってしまう。
【００７８】
P1シンボルが規格上堅牢であり、妨害信号の影響を受けにくいとはいえ、妨害信号がある環境においては、T2信号が実際には無くても、T2信号の有無の判定に用いる各相関値が通常より大きい値を示してしまい、T2信号が「ある」として誤判定されることがある。妨害信号にはアナログ通信信号やクロック信号などがある。
【００７９】
T2信号があるときに「無い」と誤判定してしまうのを確実に防ぐためには、T2信号の有無の判定に用いる閾値を低く設定することが考えられる。しかしながら、閾値を低く設定した場合、T2信号が無いのに「ある」として誤判定する可能性が高くなってしまう。
【００８０】
本発明はこのような状況に鑑みてなされたものであり、受信中のチャンネルによってDVB-T2規格の信号が伝送されていないことを早期に、かつ確実に検出することができるようにするものである。
【課題を解決するための手段】
【００８１】
本発明の一側面の受信装置は、信号全体のうちの一部の区間である第１の区間と第２の区間において相関を有するプリアンブル信号が先頭に配置されたフレーム単位でデータを送信する所定の規格のOFDM信号を受信し、前記第１の区間と前記第２の区間の時間間隔と同じ時間だけ離れた２つの区間の信号の相関値である第１の相関値を算出する第１の相関値算出手段と、閾値以上の前記第１の相関値が算出された２つの区間の信号を含む前記プリアンブル信号にフーリエ変換を施し、周波数領域の前記OFDM信号を生成する演算手段と、周波数領域の前記OFDM信号のサブキャリアのうちのデータの送信に用いられるサブキャリアの系列と、既知の系列との相関値である第２の相関値を算出する第２の相関値算出手段と、前記既知の系列との前記第２の相関値が閾値以上ある系列のサブキャリアによって送信されるデータと、前記プリアンブル信号に続く信号の復調に用いられる伝送パラメータを表すビット列と同じビット数の、既知の複数のデータのそれぞれとの相関値である第３の相関値を算出し、前記第３の相関値が最も高い既知のデータを、前記伝送パラメータとして復号する復号手段と、前記復号手段により算出された複数の前記第３の相関値の中の最大値が所定の閾値より小さい場合、受信中のチャンネルによって前記所定の規格のOFDM信号が送信されていないことを表す信号を出力する判定手段とを備える。
【００８２】
前記判定手段には、前記第１の相関値の最大値が第１の閾値より高く、前記第２の相関値の最大値が第２の閾値より高い場合、複数の前記第３の相関値の中の最大値と前記所定の閾値とを比較させることができる。
【００８３】
前記所定の規格はDVB-T2規格であり、前記プリアンブル信号はP1シンボルであるようにすることができる。
【００８４】
前記復号手段には、前記既知の系列との前記第２の相関値が閾値以上ある系列のサブキャリアによって送信されるデータと、DVB-T2規格におけるS1を構成する８種類の３ビットのデータのそれぞれとの相関値を算出し、相関値が最も高い３ビットのデータをS1として復号する第１の復号手段と、前記既知の系列との前記第２の相関値が閾値以上ある系列のサブキャリアによって送信されるデータと、DVB-T2規格におけるS2を構成する１６種類の４ビットのデータのそれぞれとの相関値を算出し、相関値が最も高い４ビットのデータをS2として復号する第２の復号手段とを設けることができる。
【００８５】
前記判定手段には、前記第１の復号手段により算出された複数の相関値の中の最大値と、前記第２の復号手段により算出された複数の相関値の中の最大値が前記所定の閾値より小さい場合、受信中のチャンネルによって前記所定の規格のOFDM信号が送信されていないことを表す信号を出力させることができる。
【００８６】
本発明の一側面の受信方法は、信号全体のうちの一部の区間である第１の区間と第２の区間において相関を有するプリアンブル信号が先頭に配置されたフレーム単位でデータを送信する所定の規格のOFDM信号を受信し、前記第１の区間と前記第２の区間の時間間隔と同じ時間だけ離れた２つの区間の信号の相関値である第１の相関値を算出し、閾値以上の前記第１の相関値が算出された２つの区間の信号を含む前記プリアンブル信号にフーリエ変換を施し、周波数領域の前記OFDM信号を生成し、周波数領域の前記OFDM信号のサブキャリアのうちのデータの送信に用いられるサブキャリアの系列と、既知の系列との相関値である第２の相関値を算出し、前記既知の系列との前記第２の相関値が閾値以上ある系列のサブキャリアによって送信されるデータと、前記プリアンブル信号に続く信号の復調に用いられる伝送パラメータを表すビット列と同じビット数の、既知の複数のデータのそれぞれとの相関値である第３の相関値を算出し、前記第３の相関値が最も高い既知のデータを、前記伝送パラメータとして復号し、算出した複数の前記第３の相関値の中の最大値が所定の閾値より小さい場合、受信中のチャンネルによって前記所定の規格のOFDM信号が送信されていないことを表す信号を出力するステップを含む。
【００８７】
本発明の一側面においては、信号全体のうちの一部の区間である第１の区間と第２の区間において相関を有するプリアンブル信号が先頭に配置されたフレーム単位でデータを送信する所定の規格のOFDM信号が受信され、前記第１の区間と前記第２の区間の時間間隔と同じ時間だけ離れた２つの区間の信号の相関値である第１の相関値が算出され、閾値以上の前記第１の相関値が算出された２つの区間の信号を含む前記プリアンブル信号にフーリエ変換が施され、周波数領域の前記OFDM信号が生成される。また、周波数領域の前記OFDM信号のサブキャリアのうちのデータの送信に用いられるサブキャリアの系列と、既知の系列との相関値である第２の相関値が算出され、前記既知の系列との前記第２の相関値が閾値以上ある系列のサブキャリアによって送信されるデータと、前記プリアンブル信号に続く信号の復調に用いられる伝送パラメータを表すビット列と同じビット数の、既知の複数のデータのそれぞれとの相関値である第３の相関値が算出され、前記第３の相関値が最も高い既知のデータが、前記伝送パラメータとして復号される。さらに、算出された複数の前記第３の相関値の中の最大値が所定の閾値より小さい場合、受信中のチャンネルによって前記所定の規格のOFDM信号が送信されていないことを表す信号が出力される。
【発明の効果】
【００８８】
本発明によれば、受信中のチャンネルによってDVB-T2規格の信号が伝送されていないことを早期に、かつ確実に検出することができる。
【図面の簡単な説明】
【００８９】
【図１】T2フレームのフォーマットを示す図である。
【図２】P1シンボルの構成を示す図である。
【図３】従来の受信装置の構成を示すブロック図である。
【図４】初期スキャン時の処理について説明するフローチャートである。
【図５】初期スキャン時の処理について説明する、図４に続くフローチャートである。
【図６】初期スキャン時のT2信号有無判定部の処理について説明するフローチャートである。
【図７】本発明の一実施の形態に係る受信装置の構成例を示すブロック図である。
【図８】図７の相関値演算部の構成例を示すブロック図である。
【図９】図８の各部において得られる信号の例を示す図である。
【図１０】図８の各部において得られる信号の他の例を示す図である。
【図１１】P1シンボルのOFDM信号のパワーを示す図である。
【図１２】S1,S2の既知シーケンスを示す図である。
【図１３】初期スキャン時の処理について説明するフローチャートである。
【図１４】受信システムの第１実施の形態の構成例を示すブロック図である。
【図１５】受信システムの第２実施の形態の構成例を示すブロック図である。
【図１６】受信システムの第３実施の形態の構成例を示すブロック図である。
【図１７】コンピュータのハードウェアの構成例を示すブロック図である。
【発明を実施するための形態】
【００９０】
［受信装置の構成例］
図７は、本発明の一実施の形態に係る受信装置１の構成例を示すブロック図である。
【００９１】
図７に示す構成のうち、図３に示す構成に対応する構成には同じ符号を付してある。重複する説明については適宜省略する。
【００９２】
図７に示す受信装置１の構成は、S1を選択するときに算出された既知シーケンスとの相関値の最大値と、S2を選択するときに算出された既知シーケンスとの相関値の最大値がT2信号有無判定部１７に供給される点を除いて、図３の構成と同じである。
【００９３】
P1検出部１１は、入力信号からP1シンボルを検出する。図２を参照して説明したように、P1シンボルを構成する有効シンボルＡの先頭側の一部分と、有効シンボルＡの前側にコピーされた信号Ｃとは相関があり、有効シンボルＡの残りの部分と、有効シンボルＡの後ろ側にコピーされた信号Ｂとは相関がある。P1シンボルの検出には、P1シンボルが、その一部の区間の信号と他の区間の信号との間で相関を有していることが利用される。
【００９４】
図８は、P1検出部１１の相関値演算部１１Ａの構成例を示すブロック図である。
【００９５】
相関値演算部１１Ａは、周波数シフト部３１、遅延部３２、乗算部３３、移動平均算出部３４、遅延部３５、遅延部３６、乗算部３７、移動平均算出部３８、および乗算部３９から構成される。相関値演算部１１Ａの各部においては、入力されたOFDM信号の所定の区間毎に、対象とする区間を順次切り替えて処理が行われる。
【００９６】
周波数シフト部３１は、入力信号と信号ｅ-j2πfSHtを乗算することにより、周波数ｆSHだけ低くなるように入力信号の周波数変換を行う。処理対象になっている区間がP1シンボルの区間である場合、図２の信号Ｃと信号Ｂの周波数が、コピー元の信号の周波数と同一の周波数になる。図２を参照して説明したように、P1シンボルを構成する有効シンボルの前側にコピーされた信号Ｃは、コピー元の信号を周波数ｆSHだけ高くした信号である。また、有効シンボルの後ろ側にコピーされた信号Ｂは、コピー元の信号を周波数ｆSHだけ高くした信号である。
【００９７】
周波数シフト部３１は、周波数変換を施した入力信号を遅延部３２と乗算部３７に出力する。
【００９８】
遅延部３２は、周波数シフト部３１から供給された入力信号を、P1シンボルの信号Ｃの時間（長さ）と同じ時間Tcだけ遅延させ、遅延させた信号を乗算部３３に出力する。
【００９９】
乗算部３３は、入力信号s1と、遅延部３２から供給された信号s2を乗算し、乗算結果を表す信号を移動平均算出部３４に出力する。
【０１００】
移動平均算出部３４は、乗算部３３による乗算結果の移動平均値を求め、求めた移動平均値を表す信号を、相関値を表す信号s4として遅延部３５に出力する。
【０１０１】
遅延部３５は、自身が出力する信号s6が、移動平均算出部３８が出力する信号s5と同時に乗算部３９に入力されるように、移動平均算出部３４から供給された信号s4を遅延させる。遅延部３５は、遅延後の信号s6を乗算部３９に出力する。
【０１０２】
遅延部３６は、入力信号を、P1シンボルの信号Ｂの時間と同じ時間Tbだけ遅延させ、遅延させた信号s3を乗算部３７に出力する。
【０１０３】
乗算部３７は、周波数シフト部３１から供給された信号と、遅延部３６から供給された信号s3を乗算し、乗算結果を表す信号を移動平均算出部３８に出力する。
【０１０４】
移動平均算出部３８は、乗算部３７による乗算結果の移動平均値を求め、求めた移動平均値を表す信号を、相関値を表す信号s5として乗算部３９に出力する。
【０１０５】
乗算部３９は、遅延部３５から供給された信号s6と移動平均算出部３８から供給された信号s5を乗算し、乗算結果を表す信号s7を出力する。乗算部３９から出力された信号に基づいて、P1検出部１１の図示せぬ他の構成において、相関値のピーク値である信号区間相関ピーク値、FFT位置、およびfine補正値がそれぞれ求められ、各部に供給される。
【０１０６】
図９は、図８の各部において得られる信号の例を示す図である。
【０１０７】
図９の最上段に示す信号s1は、入力信号として図８の相関値演算部１１Ａに入力されたP1シンボルの信号である。信号Ｃの開始位置を先頭とする信号s1が入力された場合、２段目に示す信号s2が遅延部３２から出力される。また、３段目に示す信号s3が遅延部３６から出力される。信号s2は、信号s1を時間Tcだけ遅延させた信号であり、信号s3は、信号s1を時間Tbだけ遅延させた信号である。
【０１０８】
最上段に示す信号s1と２段目に示す信号s2の乗算が乗算部３３により行われ、その乗算結果の移動平均値が移動平均算出部３４により算出されることによって、信号s3の下に示すような波形を有する信号s4が得られる。
【０１０９】
図９に示すように、信号s4は、入力信号の有効シンボルＡの開始位置（信号Ｃの終了位置）からTcの区間で増加し、その後、Tr-Tcの区間で一定となり、その後、Tcの区間で減少する波形の信号になる。Trは、図１０の右側に示すように有効シンボルＡの長さである。
【０１１０】
また、最上段に示す信号s1と３段目に示す信号s3の乗算が乗算部３７により行われ、その乗算結果の移動平均値が移動平均算出部３８により算出されることによって、信号s4の下に示すような波形を有する信号s5が得られる。
【０１１１】
信号s5は、入力信号の有効シンボルＡの終了位置（信号Ｂの開始位置）からTbの区間で増加し、その後、Tr-Tbの区間で一定となり、その後、Tbの区間で減少する波形の信号になる。
【０１１２】
図１０は、入力信号とTcだけ遅延させた入力信号との相関値を表す信号、入力信号とTbだけ遅延させた入力信号との相関値を表す信号、および、その２つの信号を乗算することによって求められた相関値（信号区間相関値）を表す信号の波形を示す図である。
【０１１３】
図９の信号s4が遅延部３５においてTaだけ遅延されることにより、図１０の上段に波形を示す信号s6が得られる。信号s6と信号s5の乗算が乗算部３９により行われることによって、下段に示す信号s7が得られる。なお、図１０においては、Kの値を30サンプルとして、信号Ｃの時間Tcと信号Ｂの時間Tbの差は2Kで表される。
【０１１４】
図７の説明に戻り、P1検出部１１は、相関値演算部１１Ａにより求めた図１０の信号s7に基づいて、信号区間相関ピーク値が検出された位置をT2フレームの先頭として設定する。また、P1検出部１１は、FFT演算の開始位置を表す情報をFFT演算部１４に出力し、fine補正値を周波数補正部１３に出力する。
【０１１５】
遅延部１２は、入力されたOFDM信号を遅延させ、周波数補正部１３に出力する。
【０１１６】
周波数補正部１３は、P1検出部１１から供給されたfine補正値に基づいて、遅延部１２から供給されたOFDM信号の周波数誤差を補正し、補正後のOFDM信号をFFT演算部１４に出力する。
【０１１７】
FFT演算部１４は、周波数補正部１３から供給されたOFDM信号のFFT演算を行い、周波数領域のOFDM信号をCDS相関演算部１５に出力する。
【０１１８】
CDS相関演算部１５は、FFT演算部１４から供給されたOFDM信号の電力を持つサブキャリアの系列と既知系列との相関値であるCDS相関値を算出し、P1シンボルを検出する。また、CDS相関演算部１５は、CDS相関値のピーク値である相関ピーク値をT2信号有無判定部１７に出力する。
【０１１９】
図１１は、P1シンボルのOFDM信号のパワーを示す図である。
【０１２０】
図１１の横軸は、周波数としてのキャリアインデクスを表し、縦軸は、サブキャリアのパワーを表す。サブキャリアを示す上向きの矢印のうち、長い矢印はデータが割り当てられている、電力を持つサブキャリア（Active Carrier）を表し、短い矢印はデータが割り当てられていない、電力を持たないサブキャリア（Unused Carrier）を表す。
【０１２１】
図１１に示すように、P1シンボルのOFDM信号は、853本のサブキャリアを有効なサブキャリアとして有し、DVB-T2規格では、その853本のサブキャリアのうちの、384本のサブキャリアにデータが割り当てられている。
【０１２２】
CDS相関演算部１５は、このような既知系列を用いてCDS相関値を算出し、例えば、既知系列との相関値が最大となる、電力を持つサブキャリアの系列の区間をP1シンボルの区間として検出する。また、CDS相関演算部１５は、CDS相関ピーク値をT2信号有無判定部１７に出力し、FFT演算後のOFDM信号とcoarse補正値をcoarse補正／デスクランブル処理部２１に出力する。
【０１２３】
coarse補正／デスクランブル処理部２１は、CDS相関演算部１５から供給されたcoarse補正値に基づいてOFDM信号の周波数誤差を補正し、デスクランブル等の処理を施して得られたOFDM信号をDBPSK復調部２２に出力する。
【０１２４】
DBPSK復調部２２は、coarse補正／デスクランブル処理部２１から供給されたOFDM信号にDBPSK復調を施すことによって得られた信号点の系列のうち、P1シンボルに含まれるS1の部分の系列をS1復号部２３に出力し、S2の部分の系列をS2復号部２４に出力する。なお、DBPSK復調の結果を硬判定して得られた1,0のビット列がDBPSK復調部２２から出力され、S1とS2の復号に用いられるようにしてもよい。
【０１２５】
S1復号部２３は、DBPSK復調部２２から供給された信号点の系列と、３ビットのS1に対応する８種類の既知シーケンスのそれぞれとの相関値を算出する。
【０１２６】
S2復号部２４は、DBPSK復調部２２から供給された信号点の系列と、４ビットのS2に対応する１６種類の既知シーケンスのそれぞれとの相関値を算出する。
【０１２７】
図１２は、DVB-T2規格で定められているS1,S2の既知シーケンスを示す図である。
【０１２８】
図１２に示すように、S1の値として、000,001,010,011,100,101,110,111の８種類の値が規定されている。また、S2の値として、0000,0001,0010,0011,0100,0101,0110,0111,1000,1001,1010,1011,1100,1101,1110,1111の１６種類の値が規定されている。１６進数で表す既知シーケンスをそれぞれの値の右側に示す。
【０１２９】
S1復号部２３は、供給された信号点の系列と000に対応する既知シーケンスとの相関値、供給された信号点の系列と001に対応する既知シーケンスとの相関値、・・・といったように、DBPSK復調部２２から供給された信号点の系列と、S1を表す８種類の既知シーケンスのそれぞれとの相関値を算出する。S1復号部２３は、算出した８個の相関値のうちの最大の相関値が求められた既知シーケンスに対応する３ビットの値をS1として選択し、出力する。
【０１３０】
また、S1復号部２３は、算出した８個の相関値のうちの最大値をS1相関最大値としてT2信号有無判定部１７に出力する。
【０１３１】
S2復号部２４は、供給された信号点の系列と0000に対応する既知シーケンスとの相関値、供給された信号点の系列と0001に対応する既知シーケンスとの相関値、・・・といったように、DBPSK復調部２２から供給された信号点の系列と、S2を表す１６種類の既知シーケンスのそれぞれとの相関値を算出する。S2復号部２４は、算出した１６個の相関値のうちの、最大の相関値が求められた既知シーケンスに対応する４ビットの値をS2として選択し、出力する。
【０１３２】
また、S2復号部２４は、算出した１６個の相関値のうちの最大値をS2相関最大値としてT2信号有無判定部１７に出力する。
【０１３３】
T2信号有無判定部１７は、相関値演算部１１Ａから供給された信号区間相関ピーク値とCDS相関演算部１５から供給されたCDS相関ピーク値の他に、S1相関最大値とS2相関最大値にも基づいて、受信中のチャンネルによりT2信号が伝送されているか否かを判定する。
【０１３４】
具体的には、T2信号有無判定部１７は、信号区間相関ピーク値とCDS相関ピーク値がいずれも閾値以上である場合であっても、S1相関最大値が閾値未満であるときには、受信中のチャンネルによりT2信号が伝送されていないとして判定する。
【０１３５】
また、T2信号有無判定部１７は、S1相関最大値が閾値以上の値である場合であっても、S2相関最大値が閾値未満であるときには、受信中のチャンネルによりT2信号が伝送されていないとして判定する。
【０１３６】
これにより、実際にはT2信号が無いのに、妨害信号の影響などによって閾値以上の相関ピーク値が相関値演算部１１ＡとCDS相関演算部１５において求められた場合であっても、T2信号が無いとして正確に判定することができる確率を高めることが可能になる。
【０１３７】
T2信号が無いとして正確に判定することができることにより、誤判定によって図５のステップＳ１２以降の処理が行われてしまうのを防ぐことができ、初期スキャンを迅速に行うことが可能になる。
【０１３８】
［初期スキャン時の動作］
図１３のフローチャートを参照して、図７の受信装置１の初期スキャン時の処理について説明する。
【０１３９】
図１３は、図４、図５を参照して説明した初期スキャン時の処理のうち、主にT2信号有無判定部１７の処理に注目したフローチャートである。図１３の処理は、基本的に、S1相関最大値を用いた判定処理とS2相関最大値を用いた判定処理が追加されている点を除いて、図６を参照して説明した処理と同じである。
【０１４０】
ステップＳ５１において、T2信号有無判定部１７は入力信号が安定するまで待機する。
【０１４１】
信号安定フラグが供給された場合、ステップＳ５２において、T2信号有無判定部１７は250+α[ms]の時間だけ待機する。
【０１４２】
ステップＳ５３において、T2信号有無判定部１７は、図４のステップＳ４の処理と同様に、信号区間相関ピーク値と閾値を比較し、P1シンボルが検出されたか否かを判定する。
【０１４３】
信号区間相関ピーク値が閾値以上あり、P1シンボルが検出されたとステップＳ５３において判定した場合、ステップＳ５４において、T2信号有無判定部１７は、図４のステップＳ８の処理と同様に、CDS相関ピーク値が閾値以上であるか否かを判定する。
【０１４４】
P1シンボルが検出されていないとステップＳ５３において判定された場合、または、CDS相関ピーク値が閾値未満であるとステップＳ５４において判定された場合、ステップＳ５５において、受信中のチャンネルにT2信号がない場合の処理が行われる。すなわち、図４のステップＳ４、またはＳ８においてNOと判定された場合の処理が行われる。
【０１４５】
一方、CDS相関ピーク値が閾値以上であるとステップＳ５４において判定した場合、ステップＳ５６において、T2信号有無判定部１７は、S1相関最大値が閾値以上であるか否かを判定する。なお、CDS相関ピーク値が閾値以上であるとステップＳ５４において判定された後、図５のステップＳ１２乃至Ｓ１５の処理が行われる。そのとき、ステップＳ１４でのS1,S2の復号時に求められたS1相関最大値がS1復号部２３から、S2相関最大値がS2復号部２４からそれぞれT2信号有無判定部１７に供給され、閾値との比較に用いられる。
【０１４６】
S1相関最大値が閾値以上であるとステップＳ５６において判定した場合、ステップＳ５７において、T2信号有無判定部１７は、S2相関最大値が閾値以上であるか否かを判定する。
【０１４７】
S2相関最大値が閾値以上であるとステップＳ５７において判定された場合、ステップＳ５８において、T2信号のあるチャンネルである可能性がある場合の処理が行われる。ここでは、図５のステップＳ１６以降の処理が行われる。
【０１４８】
一方、S1相関最大値が閾値未満であるとステップＳ５６において判定された場合、または、S2相関最大値が閾値未満であるとステップＳ５７において判定された場合、ステップＳ５５に進み、T2信号がない場合の処理が行われる。受信中のチャンネルにT2信号がない場合、T2信号有無判定部１７からはT2無し判定フラグが出力される。
【０１４９】
S1/S2相関最大値をもT2信号の有無の判定に用いることにより、T2信号が無いのに閾値以上の相関ピーク値が相関値演算部１１ＡとCDS相関演算部１５により求められた場合であっても、T2信号が無いとして正確に判定することができる確率を高めることができる。
【０１５０】
特に、T2信号があるときに「無い」と誤判定することを防ぐために信号区間相関ピーク値またはCDS相関ピーク値との比較に用いる閾値を低く設定している場合、T2信号が無いのに「ある」として誤判定する可能性が高くなるが、それを防ぐことができる。
【０１５１】
T2信号が無いとして正確に判定することができることにより、初期スキャンを迅速に行うことが可能になる。
【０１５２】
信号区間相関ピーク値とCDS相関ピーク値を用いた判定によってT2信号があると誤判定された場合、正確ではないS1,S2に基づいて、その後の各判定が行われることになる。仮に、正確ではないS1,S2の値に基づいて、S1が「00X」である、またはS2が「XXX1」であると判定された場合（図５のステップＳ１６またはＳ１７においてYESと判定された場合）、続く処理においてP2シンボルのL1-pre signalling（図１）の取得のための同期引き込みシーケンスが開始される。このシーケンスでは次のP1シンボルの検出を待つ処理があり、規格上、少なくとも250msは待たなくてはならない。
【０１５３】
上述したようにしてS1/S2相関最大値を用いることでT2信号がない場合に「ある」と誤判定する確率を大幅に低減できることにより、初期スキャンにかかる時間が長くなるのを防ぐことが可能になる。一回の初期スキャンは、通常、数十のチャンネルを対象として行われるため、時短効果は大きくなる。
【０１５４】
以上においては、S1相関最大値を用いた判定処理とS2相関最大値を用いた判定処理のうち、S1相関最大値を用いた判定処理が先に行われるものとしたが、S2相関最大値を用いた判定処理が先に行われるようにしてもよい。
【０１５５】
［変形例］
図１４は、本発明の受信装置１を適用した受信システムの第１実施の形態の構成例を示すブロック図である。
【０１５６】
図１４の受信システムは、取得部１０１、伝送路復号処理部１０２、および情報源復号処理部１０３から構成される。
【０１５７】
取得部１０１は、地上デジタル放送、衛星デジタル放送、CATV網、インターネットその他のネットワーク等の図示せぬ伝送路を介して信号を取得し、伝送路復号処理部１０２に供給する。
【０１５８】
伝送路復号処理部１０２は、取得部１０１が伝送路を介して取得した信号に対して、誤り訂正を含む伝送路復号処理を施し、その結果得られる信号を情報源復号処理部１０３に供給する。図７の受信装置１は伝送路復号処理部１０２に含まれる。
【０１５９】
情報源復号処理部１０３は、伝送路復号処理が施された信号に対して、圧縮された情報を元の情報に伸張し、送信対象のデータを取得する処理を含む情報源復号処理を施す。
【０１６０】
すなわち、取得部１０１が伝送路を介して取得した信号には、画像や音声等のデータ量を少なくするために、情報を圧縮する圧縮符号化が施されていることがある。その場合、情報源復号処理部１０３は、伝送路復号処理が施された信号に対して、圧縮された情報を元の情報に伸張する処理等の情報源復号処理を施す。
【０１６１】
なお、取得部１０１が伝送路を介して取得した信号に圧縮符号化が施されていない場合、情報源復号処理部１０３では、圧縮された情報を元の情報に伸張する処理は行われない。ここで、伸張処理としては、例えば、MPEGデコード等がある。また、情報源復号処理には、伸張処理の他、デスクランブル等が含まれることがある。
【０１６２】
図１４の受信システムは、例えば、デジタルテレビジョン放送を受信するテレビチューナ等に適用することができる。なお、取得部１０１、伝送路復号処理部１０２、および情報源復号処理部１０３は、それぞれ、１つの独立した装置（ハードウェア（IC(Integrated Circuit)等））、又はソフトウェアモジュール）として構成することが可能である。
【０１６３】
また、取得部１０１、伝送路復号処理部１０２、および、情報源復号処理部１０３については、それらの３つのセットを１つの独立した装置として構成することが可能である。取得部１０１と伝送路復号処理部１０２とのセットを１つの独立した装置として構成することも可能であるし、伝送路復号処理部１０２と情報源復号処理部１０３とのセットを１つの独立した装置として構成することも可能である。
【０１６４】
図１５は、本発明の受信装置１を適用した受信システムの第２実施の形態の構成例を示すブロック図である。
【０１６５】
図１５に示す構成のうち、図１４に示す構成と対応する構成については、同一の符号を付してあり、その説明は適宜省略する。
【０１６６】
図１５の受信システムの構成は、取得部１０１、伝送路復号処理部１０２、および情報源復号処理部１０３を有する点で図１４の構成と共通し、出力部１１１が新たに設けられている点で図１４の構成と相違する。
【０１６７】
出力部１１１は、例えば、画像を表示する表示装置や音声を出力するスピーカであり、情報源復号処理部１０３から出力される信号としての画像や音声等を出力する。すなわち、出力部１１１は、画像を表示し、あるいは、音声を出力する。
【０１６８】
図１５の受信システムは、例えば、デジタル放送としてのテレビジョン放送を受信するTVや、ラジオ放送を受信するラジオ受信機等に適用することができる。
【０１６９】
なお、取得部１０１において取得された信号に圧縮符号化が施されていない場合、伝送路復号処理部１０２が出力する信号が、直接、出力部１１１に供給される。
【０１７０】
図１６は、本発明の周波数・位相同期回路を適用した受信システムの第３実施の形態の構成例を示すブロック図である。
【０１７１】
図１６に示す構成のうち、図１４に示す構成と対応する構成については同一の符号を付してあり、その説明は適宜省略する。
【０１７２】
図１６の受信システムの構成は、取得部１０１、および伝送路復号処理部１０２を有する点で図１４の構成と共通し、情報源復号処理部１０３が設けられておらず、記録部１２１が新たに設けられている点で図１４の構成と相違する。
【０１７３】
記録部１２１は、伝送路復号処理部１０２が出力する信号（例えば、MPEGのTSのTSパケット）を、光ディスクや、ハードディスク（磁気ディスク）、フラッシュメモリ等の記録（記憶）媒体に記録する（記憶させる）。
【０１７４】
以上のような図１６の受信システムは、テレビジョン放送を録画するレコーダ機器等に適用することができる。
【０１７５】
なお、情報源復号処理部１０３を設け、情報源復号処理部１０３で情報源復号処理が施された後の信号、すなわち、デコードによって得られる画像や音声を記録部１２１で記録するようにしてもよい。
【０１７６】
上述した一連の処理は、ハードウェアにより実行することもできるし、ソフトウエアにより実行することもできる。一連の処理をソフトウエアにより実行する場合には、そのソフトウエアを構成するプログラムが、専用のハードウェアに組み込まれているコンピュータ、または汎用のパーソナルコンピュータなどに、プログラム記録媒体からインストールされる。
【０１７７】
図１７は、上述した一連の処理をプログラムにより実行するコンピュータのハードウェアの構成例を示すブロック図である。
【０１７８】
CPU(Central Processing Unit)１５１、ROM(Read Only Memory)１５２、RAM(Random Access Memory)１５３は、バス１５４により相互に接続されている。
【０１７９】
バス１５４には、さらに、入出力インタフェース１５５が接続されている。入出力インタフェース１５５には、キーボード、マウスなどよりなる入力部１５６、ディスプレイ、スピーカなどよりなる出力部１５７が接続される。また、入出力インタフェース１５５には、ハードディスクや不揮発性のメモリなどよりなる記憶部１５８、ネットワークインタフェースなどよりなる通信部１５９、リムーバブルメディア１６１を駆動するドライブ１６０が接続される。
【０１８０】
以上のように構成されるコンピュータでは、CPU１５１が、例えば、記憶部１５８に記憶されているプログラムを入出力インタフェース１５５及びバス１５４を介してRAM１５３にロードして実行することにより、上述した一連の処理が行われる。
【０１８１】
CPU１５１が実行するプログラムは、例えばリムーバブルメディア１６１に記録して、あるいは、ローカルエリアネットワーク、インターネット、デジタル放送といった、有線または無線の伝送媒体を介して提供され、記憶部１５８にインストールされる。
【０１８２】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１８３】
本発明の実施の形態は、上述した実施の形態に限定されるものではなく、本発明の要旨を逸脱しない範囲において種々の変更が可能である。
【符号の説明】
【０１８４】
１  受信装置，  １１  P1検出部，  １２  遅延部，  １３  周波数補正部，  １４  FFT演算部，  １５  CDS相関演算部，  １６  デコード部，  １７  T2信号有無判定部，  ２１  coarse補正／デスクランブル処理部，  ２２  DBPSK復調部，  ２３  S1復号部，  ２４  S2復号部
【図１】
2011041085.tif 000003
【図２】
2011041085.tif 000004
【図３】
2011041085.tif 000005
【図４】
2011041085.tif 000006
【図５】
2011041085.tif 000007
【図６】
2011041085.tif 000008
【図７】
2011041085.tif 000009
【図８】
2011041085.tif 000010
【図９】
2011041085.tif 000011
【図１０】
2011041085.tif 000012
【図１１】
2011041085.tif 000013
【図１２】
2011041085.tif 000014
【図１３】
2011041085.tif 000015
【図１４】
2011041085.tif 000016
【図１５】
2011041085.tif 000017
【図１６】
2011041085.tif 000018
【図１７】
2011041085.tif 000019